(57)【要約】【課題】ルーフドレインへの積雪を防止し、更にルーフドレインにゴミが堆積するのを防止するルーフドレイン掃除装置を提供する。【解決手段】本発明によれば、ルーフドレインに対して回転自在に取り付けられる装置であって、中空で上部平面を有する円柱形状の筐体２と、筐体２の少なくとも外周面に固着された複数の羽根部材３と、筐体２の内周面に一端が固着され、他端が筐体２の回転軸に向かって所定範囲にわたり突出したブラシ部材と、筐体２をルーフドレインに対して回転自在に固定する固定部材とを備え、筐体２は、ステンレス等の金属により構成されているルーフドレイン掃除装置１が提供される。【選択図】図１
2019105139.tif 000002
【特許請求の範囲】
【請求項１】
ルーフドレインに対して回転自在に取り付けられる装置であって、
中空で上部平面を有する円柱形状の筐体と、
前記筐体の少なくとも外周面に固着された複数の羽根部材と、
前記筐体の内周面に一端が固着されており、他端が前記筐体の回転軸に向かって所定範囲にわたり突出したブラシ部材と、
前記筐体をルーフドレインに対して回転自在に固定する固定部材と、を備え、
前記筐体は、金属により構成されている
ルーフドレイン掃除装置。
【請求項２】
前記複数の羽根部材とは、前記外周面に等間隔で固着された３枚の羽根部材である
請求項１に記載のルーフドレイン掃除装置。
【請求項３】
前記複数の羽根部材は、前記筐体の上部平面の一部に固着される第１の部分、前記筐体の外周面に固着される第２の部分とからなり、前記第１の部分は前記筐体の上部平面に垂直な方向に対して４５度の傾きを有し、前記第２の部分は前記筐体の上部平面に垂直な方向に対して３０度の傾きを有する
請求項１又は請求項２のいずれか１項に記載のルーフドレイン装置。
【請求項４】
前記ブラシ部材の一端は、前記内周面の１箇所に固着されている
請求項１乃至請求項３のいずれか１項に記載のルーフドレイン掃除装置。
【請求項５】
前記金属とは、ステンレスである
請求項１乃至請求項４のいずれか１項に記載のルーフドレイン掃除装置。
【請求項６】
前記筐体は、外周面に複数の開口部を有する
請求項１乃至請求項５のいずれか１項に記載のルーフドレイン掃除装置。
【請求項７】
ルーフドレインに対して回転自在に取り付けられる装置であって、
中空で上部平面を有する円柱形状で、外周面に複数の開口部を有する筐体と、
前記筐体の少なくとも外周面に等間隔で固着された３枚の羽根部材と、
前記筐体の内周面に一端が固着されており、他端が前記筐体の回転軸に向かって所定範囲にわたり突出したブラシ部材と、
前記筐体をルーフドレインに回転自在に固定する固定部材と、を備え、
前記筐体が前記ルーフドレインを上方から覆うことでゴミの蓄積を防止し、
前記４枚の羽根部材が風力を受けると、前記筐体が前記固定部材による前記回転軸を中心に回転し、当該回転により前記ブラシ部材が前記ルーフドレインのゴミを外に吐き出し、
前記筐体はステンレスで構成され日光を浴びることで蓄熱され積雪を防止する
ルーフドレイン掃除装置。
【発明の詳細な説明】
【技術分野】
【０００１】
本発明は、例えば、建物の屋根や屋上等に配設されているルーフドレインに落葉等のゴミが堆積するのを防止するルーフドレイン掃除装置に関する。
【背景技術】
【０００２】
従来、建物の屋根や屋上等には、雨水を地上に排出する目的でルーフドレインが配設されている。そして、ルーフドレインには、樹木の落葉等が排水路に流れ込み排水効率が下がるのを防止するために、所謂目皿が配設されている。この目皿によれば、落葉等が排水路に流れ込むのを防止できる。その一方で、当該目皿に落葉等のゴミが堆積し、ルーフドレインを介した排水効率自体を悪化させることが課題となっていた。このような課題に着目して、従来、種々の技術が提案されている。
【０００３】
例えば、特許文献１では、基底板の上面に、落ち葉等を縦向きに整列し、かつ、その通過を阻止し、風を整風し、風力による乾燥と一掃を図る規律整列整風流路板を、横樋の長手方向と平行に、かつ相互に所要の間隔を存して所要枚数を列設してなる雨樋用落葉詰まり防止装置が開示されている。
【０００４】
さらに、例えば、特許文献２では、主軸の上に風車を取付け、主軸の下部にブラシを取付けて、風力によって風車を回転させ、その力がブラシに伝わってブラシが回転することによってルーフドレインの目皿のごみをとりルーフドレインの目詰まりを防止するルーフドレイン目詰まり防止装置が開示されている。
【先行技術文献】
【特許文献】
【０００５】
【特許文献１】特開２００３−２２７２１０号公報
【特許文献２】特開平４−１２０３５０号公報
【発明の概要】
【発明が解決しようとする課題】
【０００６】
しかしながら、特許文献１に開示されたものは、ルーフドレインの形状を工夫することで落葉等の詰まりを防止するものにすぎない。
【０００７】
さらに、特許文献２に開示された技術では、主軸の上に風車があり、下部にブラシを取付けて、ブラシを風力で回転させる構成であることから、ブラシへの回転力の伝達が十分ではなかった。さらに、あくまでも目皿の目詰まりを防止するものであって、ごみはルーフドレインを介して排水路への落ち込んでしまう可能性があった。
【０００８】
そして、積雪の多い地域等では、ルーフドレインの上への積雪も排水効率を悪化させるため問題となっていたが、前述した特許文献１，２では、当該地域における積雪対策については何ら配慮されていなかった。
【０００９】
本発明は、このような課題に鑑みてなされたものであり、その目的とするところは、ルーフドレインへの積雪、及びゴミの堆積を防止することにある。
【００１０】
さらに、その目的とするところは、筐体に縦方向に延びた開口部を設け、筐体内部の熱を融導して積雪防止を更に加速させることにある。
【課題を解決するための手段】
【００１１】
上記課題を解決するために、本発明の一態様に係るルーフドレイン掃除装置は、ルーフドレインに対して回転自在に取り付けられる装置であって、中空で上部平面を有する円柱形状の筐体と、前記筐体の少なくとも外周面に固着された複数の羽根部材と、前記筐体の内周面に一端が固着されており他端が前記筐体の回転軸に向かって所定範囲にわたり突出したブラシ部材と、前記筐体をルーフドレインに対して回転自在に固定する固定部材とを備え、前記筐体は、金属により構成されている。
【００１２】
この態様において、前記複数の羽根部材とは、前記外周面に等間隔で固着された３枚の羽根部材であってよい。前記複数の羽根部材は、前記筐体の上部平面の一部に固着される第１の部分と、前記筐体の外周面に固着される第２の部分とからなり、前記第１の部分は前記筐体の上部平面に垂直な方向に対して４５度の傾きを有し、前記第２の部分は前記筐体の上部平面に垂直な方向に対して３０度の傾きを有してよい。そして、前記ブラシ部材の一端は、前記内周面の１箇所に固着されていてよい。前記金属とは、ステンレスでもよい。そして、前記筐体は、外周面に複数の開口部を有してよい。
【００１３】
本発明の他の態様に係るルーフドレイン掃除装置は、ルーフドレインに対して回転自在に取り付けられる装置であって、中空で上部平面を有する円柱形状で、外周面に複数の開口部を有する筐体と、前記筐体の少なくとも外周面に等間隔で固着された３枚の羽根部材と、前記筐体の内周面に一端が固着されており、他端が前記筐体の回転軸に向かって所定範囲にわたり突出したブラシ部材と、前記筐体をルーフドレインに回転自在に固定する固定部材とを備え、前記筐体が前記ルーフドレインを上方から覆うことでゴミの蓄積を防止し、前記４枚の羽根部材が風力を受けると、前記筐体が前記固定部材による前記回転軸を中心に回転し、当該回転により前記ブラシ部材が前記ルーフドレインのゴミを外に吐き出し、前記筐体はステンレスで構成され、が日光を浴びることで蓄熱され積雪を防止する。
【発明の効果】
【００１４】
本発明によれば、ルーフドレインへの積雪、及びゴミの堆積を防止するルーフドレイン掃除装置を提供することができる。
【００１５】
さらに、筐体に縦方向に延びた開口部を設け、筐体内部の熱を融導して積雪防止を更に加速させるルーフドレイン掃除装置を提供することある。
【図面の簡単な説明】
【００１６】
【図１】本発明の一実施形態に係るルーフドレイン掃除装置の構成図である。
【図２】本発明の一実施形態に係るルーフドレイン掃除装置の平面図である。
【図３】図３（ａ）乃至図３（ｃ）は、本発明の実施形態に係るルーフドレイン掃除装置のブラシ部材の取付け状態を説明するための図である。
【図４】本発明の実施形態に係るルーフドレイン掃除装置のルーフドレインへの取付け手法について説明するための図である。
【図５】本発明の実施形態に係るルーフドレイン掃除装置をルーフドレインに実際に取り付けた様子を示す図である。
【発明を実施するための形態】
【００１７】
以下、図面を参照しつつ本発明の一実施形態について説明する。
【００１８】
本発明の一実施形態に係るルーフドレイン掃除装置は、ルーフドレインへの落葉等のゴミの堆積を防止するものである。ステンレス製の筐体を採用することで、筐体が太陽光により蓄熱されるので、降雪の多い地域等においては、ルーフドレイン上への積雪も効果的に防止することができる。さらに、ルーフドレイン掃除装置の筐体に縦方向に延びた開口部を設け、筐体内部の熱を融導して積雪防止を更に加速させる。筐体の外周面には複数の羽根部材が固着されており、内周面にはブラシ部材が配設されている。従って、羽根部材が風力を受けると、筐体が時計回り／半時計回りに回転し、当該回転に伴って、ブラシ部材がルーフドレインのゴミを吐き出すことになる。
【００１９】
以下、各部の構成及び作用を詳述する。
【００２０】
図１及び図２には、本発明の一実施形態に係るルーフドレイン掃除装置の構成を詳細に示し、説明する。より詳細には、図１は同ルーフドレイン掃除装置の側面図であり、図２は同ルーフドレイン掃除装置の平面図である。
【００２１】
これらの図に示されるように、ルーフドレイン掃除装置１は、中空で上部平面を有する円柱形状の筐体２を有している。換言すれば、筐体２は、中空の円柱形状ではあるが、その上部は回転軸（中心軸ともいう）の方向に垂直な平面で閉ざされている。ルーフドレイン掃除装置１は、筐体２の上部平面及び外周面に少なくとも一部が溶接等により固着された複数の羽根部材３を有している。各羽根部材３は、それぞれが第１の部分３ａ、第２の部分３ｃで構成されている。
【００２２】
第１の部分３ａは、五角形であって、筐体２の上部平面に対して垂直な方向に４５度の傾きを持って傾斜して立設され、その一部が上部平面に溶接等で固着されている。この第１の部分３ａの外方向に突出した最外部３ｂは、先端の角が落とされ、丸みを帯びた形状となっている。これは、危険を防止するためである。
【００２３】
第２の部分３ｃは、第１の部分３ａの筐体２の平面から突出した下辺から連続して下方に延びており、台形形状であって、上辺が下辺よりも長くなるような位置関係で、第１の部分３ａから連続する。第２の部分３ｃは、筐体２の上部平面に垂直な方向に対して上方に向けて３０度の傾きで傾斜しており、少なくともその一部が筐体２の外周面に溶接等により固着されている。
【００２４】
第１の部分３ａ、第２の部分３ｃは、ステンレス等の金属を切り出すことで一体に構成されていてもよい。
【００２５】
第１の部分３ａ、第２の部分３ｃの筐体の上部平面に垂直な方向に対する傾斜角は、羽根部材３が、風力を十分に受けるための工夫であり、傾斜を設けることで、筐体２の回転速度を向上させることができる。また、羽根部材３は、筐体２の上部平面及び外周面に少なくとも一部が溶接等により固着されているので、風力を筐体２に伝達し、十分な回転力を発揮させることができる。
【００２６】
筐体２の外周面であって、羽根部材３と羽根部材３との間の領域には、縦方向に延びた開口部４が設けられている。これは、ルーフドレイン掃除装置１をルーフドレインに取り付けた状態のままでも、内周面に配設された後述するブラシ部材等のメンテナンス等を可能とするための工夫である。例えば、ブラシ部材１１は、樹脂等により構成されているため、消耗品であるが、この開口部４を介して、簡易に交換することも可能である。このほか、筐体２の上部平面には、中心に後述する固定部材によるルーフドレインへの取付けを実現するため開口部５が設けられている。
【００２７】
ルーフドレイン掃除装置１の内周面には、ブラシ部材が配設されているが、その取付けの様子は、図３（ａ）乃至図３（ｃ）に示される通りである。
【００２８】
この例では、ブラシ部材１１は、筐体２の内周面の１箇所に固着されている。その理由は、前述したような４枚の羽根部材３による風力のキャッチによれば、筐体２を高速で回転することができ、１箇所で十分だからである。但し、複数個所にブラシ部材１１を配設するようにしてもよいことは勿論である。
【００２９】
図３（ａ）及び図３（ｂ）に示されるように、筐体２の内周面には、回転軸の方向に向けて突出したブラシ受け部１０が設けられており、当該ブラシ受け部１０にブラシ部材１１の一端を当接させて座金１２で上から抑え込むような位置関係でボルト１３をネジ込み固定している。この取付け状態では、ブラシ部材１１の他端は、筐体２の回転軸に向けて縦方向に所定範囲にわたり突出した状態となる。この実施形態では、図３（ｃ）に示されるように、ブラシ部材１１は、回転軸に対して垂直な位置から回転軸に対して略平行な位置となるまで広範にわたり突出している。但し、これには限定されない。
【００３０】
一般に、ルーフドレインは、突出しており、路面に対して鉛直な方向に立設した部分と路面に対して平行な部分とを有するが、前述したような範囲でブラシ部材１１を突出させルーフドレイン１００に当接させることで、ルーフドレインの路面に対して立設した部分と平行な部分の双方を広範にわたり掃除することが可能となる。
【００３１】
ブラシ受け部１０、座金１２、ボルト１３は、いずれも例えばステンレス鋼で構成されている。ブラシ受け部１０は、溶接等により筐体２の内周面に固着される。ブラシ部材１１は、例えば塩化ビニール、ポリプロピレン、又はそれらを合成した樹脂により構成されている。但し、これは一連であって、これには限定されない。
【００３２】
このような構成のルーフドレイン掃除装置１を、実際にルーフドレインに取り付ける様子は、図４に示される通りである。
【００３３】
同図に示されるように、ルーフドレイン１００には、その上面にネジ止め用の開口部１００ａとベアリング用座堀部１００ｂが設けられている。このベアリング用座堀部１００ｂにベアリング２１を配設し、その上から管２２を挿入し、管２２が筐体２の開口部５に当接するような位置関係で筐体２を上から被せる。そして、筐体２の上部平面を介して管２２の上に座金２３を位置決めし、ルーフドレイン１００の上部平面の下方からビス２０を挿通し、ナット２４と螺合させることで、筐体２がルーフドレイン１００に対して回転自在に装着されることになる。
【００３４】
即ち、ビス２０は、ルーフドレイン１００の開口部１００ａに挿通された後、ベアリング２１、管２２、筐体２の上部平面の開口部５、座金２３に挿通され、ナット２４と螺合されるので、筐体２は、ベアリング２１の作用によりルーフドレイン１００に対して回転自在に装着されることになる。
【００３５】
こうして、ルーフドレイン掃除装置１をルーフドレイン１００に取り付けた様子は、図５に示される通りである。筐体２がルーフドレイン１００を上方から覆うことでゴミの蓄積を防止することができる。そして、４枚の羽根部材３が風力を受けると、筐体２が固定部材（ビス２０、ベアリング２１、管２２、座金２３、及びナット２４等）による回転軸を中心に回転し、当該回転によりブラシ部材１１がルーフドレイン１００のゴミを外に吐き出すことになる。更に、筐体２はステンレス鋼で構成されているので、日光を浴びることで蓄熱され、それにより積雪を効果的に防止することができる。
【００３６】
以上説明したように、本発明の一実施形態によれば、ルーフドレイン１００に対して回転自在に取り付けられる装置であって、中空で上部平面を有する円柱形状の筐体２と、筐体２の少なくとも外周面に固着された複数の羽根部材３と、筐体２の内周面に一端が固着され、他端が筐体２の回転軸に向かって所定範囲にわたり突出したブラシ部材１１と、筐体２をルーフドレイン１００に対して回転自在に固定する固定部材（ビス２０、ベアリング２１、管２２、座金２３、及びナット２４等）とを備え、筐体２は、金属により構成されているルーフドレイン掃除装置１が提供される。従って、羽根部材３が風力を受け、その風力が筐体２に伝達され、回転軸を中心に筐体２が回転し、同回転によりルーフドレイン１００に先端が当接したブラシ部材１１がルーフドレインのゴミを吐き出すことができるので、ルーフドレインへの落葉等のゴミの堆積を防止できる。
【００３７】
ここで、複数の羽根部材３とは、筐体２の外周面に等間隔で固着された３枚の羽根部材３であってよい。３枚の羽根によれば、東西南北、四方からの風を効果的に受け、筐体２の回転を促進することが可能となる。
【００３８】
また、複数の羽根部材は、筐体２の上部平面の一部に固着される第１の部分３ａと、筐体２の外周面に固着される第２の部分３ｃとからなり、第１の部分３ａは筐体の上部平面に垂直な方向に対して４５度の傾きを有し、第２の部分３ｃは筐体の上部平面に垂直な方向に対して３０度の傾きを有してよい。各羽根部材３をこのような構成とすることで、風力を効果的に受けることができ、筐体２の時計回り及び反時計回りのいずれの回転をも実現することが可能となる。
【００３９】
即ち、より詳細には、各羽根部材３は、第１の部分３ａは、五角形であって、筐体２の上部平面に対して垂直な方向に４５度の傾きを持って傾斜して立設され、その一部が上部平面に溶接等で固着された第１の部分３ａと、第１の部分３ａの筐体２の平面から突出した下辺から連続して下方に延びており、台形形状であって、上辺が下辺よりも長くなるような位置関係で、第１の部分３ａから連続し、筐体２の上部平面に垂直な方向に対して上方に向けて３０度の傾きで傾斜しており、少なくともその一部が筐体２の外周面に溶接等により固着された第２の部分３ｃとからなる。各羽根部材３をこのような構成とすることで、筐体２を高速で回転させるための風力を効果的に受けることができ、筐体２の時計回り及び反時計回りのいずれの回転をも実現することが可能となる。
【００４０】
さらに、ブラシ部材１１の一端は、内周面の１箇所に固着されていてよい。前述した羽根部材３の枚数及び形状によれば、風力を効果的に受け、筐体２を高速で回転させることができるので、ブラシ部材１１は筐体２の内周面への一カ所の配設でも十分な掃き出し効果を奏することができる。
【００４１】
また、前記金属とは、ステンレスであってよい。ステンレスによれば、太陽光を受けて蓄熱することができるので、積雪等を効果的に防止することが可能となる。
【００４２】
さらに、筐体２は、外周面に複数の開口部４を有してよい。この開口部４によれば、ルーフドレイン掃除装置１をルーフドレインに取り付けた状態のままでも、ブラシ部材１１のメンテナンス等を簡易且つ迅速に行うことが可能となる。
【００４３】
そして、本発明の一実施形態によれば、ルーフドレイン１００に対して回転自在に取り付けられる装置であって、中空で上部平面を有する円柱形状で外周面に複数の開口部を有する筐体２と、筐体２の少なくとも外周面に等間隔で固着された３枚の羽根部材３と、筐体２の内周面に一端が固着されており他端が前記筐体の回転軸に向かって所定範囲にわたり突出したブラシ部材１１と、筐体２をルーフドレイン１００に回転自在に固定する固定部材（ビス２０、ベアリング２１、管２２、座金２３、及びナット２４等）とを備え、筐体２がルーフドレイン１００を上方から覆うことでゴミの蓄積を防止し、４枚の羽根部材３が風力を受けると筐体２が固定部材による回転軸を中心に回転し当該回転により前記ブラシ部材１１がルーフドレイン１００のゴミを外に吐き出し、筐体２はステンレスで構成され日光を浴びることで蓄熱され積雪を防止するルーフドレイン掃除装置が提供されることになる。従って、同構成によれば、ルーフドレインへの落葉等の堆積を効果的に防止することが可能となる。
【００４４】
以上、本発明の一実施形態について説明したが、本発明はこれに限定されることなくその趣旨を逸脱しない範囲で種々の改良・変更が可能であることは勿論である。
【００４５】
例えば、ブラシ部材は、ルーフドレインの路面に垂直に立設された部分に当接するものと、路面に水平な部分に当接するものを、筐体の内周面の異なる部分に配設するようにしてもよいことは勿論である。
【００４６】
さらに、筐体及び羽根部材は、ステンレスの他、アルミ、汎用プラスチック（ポリエチレン（ＰＥ）、ポリプロピレン（ＰＰ）、ポリスチレン（ＰＳ）、ＡＢＳ樹脂など）を成型したものとしてもよい。汎用プラスチックとした場合でも、ルーフドレインを被覆する形状であることから、内部に熱を蓄積することができ、積雪等の防止効果は、同様に発揮することが可能である。
【符号の説明】
【００４７】
１…ルーフドレイン掃除装置
２…筐体
３…羽根部材
３ａ…第１の部分
３ｂ…第３の部分
３ｃ…第２の部分
４…開口部
５…開口部
１０…突出部
１１…ブラシ部材
１２…座金
１３…ボルト
２０…ビス
２１…ベアリング
２２…管
２３…座金
２４…ナット
【図１】
2019105139.tif 000003
【図２】
2019105139.tif 000004
【図３】
2019105139.tif 000005
【図４】
2019105139.tif 000006
【図５】
2019105139.tif 000007
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
ルーフドレインに対して回転自在に取り付けられる装置であって、
中空で上部平面を有する円柱形状の筐体と、
前記筐体の少なくとも外周面に固着された複数の羽根部材と、
前記筐体の内周面に一端が固着されており、他端が前記筐体の回転軸に向かって所定範囲にわたり突出したブラシ部材と、
前記筐体をルーフドレインに対して回転自在に固定する固定部材と、を備え、
前記筐体は、金属により構成されている
ルーフドレイン掃除装置。
【請求項２】
前記複数の羽根部材とは、前記外周面に等間隔で固着された３枚の羽根部材である
請求項１に記載のルーフドレイン掃除装置。
【請求項３】
前記複数の羽根部材は、前記筐体の上部平面の一部に固着される第１の部分、前記筐体の外周面に固着される第２の部分とからなり、前記第１の部分は前記筐体の上部平面に垂直な方向に対して４５度の傾きを有し、前記第２の部分は前記筐体の上部平面に垂直な方向に対して３０度の傾きを有する
請求項１又は請求項２のいずれか１項に記載のルーフドレイン装置。
【請求項４】
前記ブラシ部材の一端は、前記内周面の１箇所に固着されている
請求項１乃至請求項３のいずれか１項に記載のルーフドレイン掃除装置。
【請求項５】
前記金属とは、ステンレスである
請求項１乃至請求項４のいずれか１項に記載のルーフドレイン掃除装置。
【請求項６】
前記筐体は、外周面に複数の開口部を有する
請求項１乃至請求項５のいずれか１項に記載のルーフドレイン掃除装置。
【請求項７】
ルーフドレインに対して回転自在に取り付けられる装置であって、
中空で上部平面を有する円柱形状で、外周面に複数の開口部を有する筐体と、
前記筐体の少なくとも外周面に等間隔で固着された３枚の羽根部材と、
前記筐体の内周面に一端が固着されており、他端が前記筐体の回転軸に向かって所定範囲にわたり突出したブラシ部材と、
前記筐体をルーフドレインに回転自在に固定する固定部材と、を備え、
前記筐体が前記ルーフドレインを上方から覆うことでゴミの蓄積を防止し、
前記３枚の羽根部材が風力を受けると、前記筐体が前記固定部材による前記回転軸を中心に回転し、当該回転により前記ブラシ部材が前記ルーフドレインのゴミを外に吐き出し、
前記筐体はステンレスで構成され日光を浴びることで蓄熱され積雪を防止する
ルーフドレイン掃除装置。
【手続補正２】
【補正対象書類名】明細書
【補正対象項目名】００１３
【補正方法】変更
【補正の内容】
【００１３】
本発明の他の態様に係るルーフドレイン掃除装置は、ルーフドレインに対して回転自在に取り付けられる装置であって、中空で上部平面を有する円柱形状で、外周面に複数の開口部を有する筐体と、前記筐体の少なくとも外周面に等間隔で固着された３枚の羽根部材と、前記筐体の内周面に一端が固着されており、他端が前記筐体の回転軸に向かって所定範囲にわたり突出したブラシ部材と、前記筐体をルーフドレインに回転自在に固定する固定部材とを備え、前記筐体が前記ルーフドレインを上方から覆うことでゴミの蓄積を防止し、前記３枚の羽根部材が風力を受けると、前記筐体が前記固定部材による前記回転軸を中心に回転し、当該回転により前記ブラシ部材が前記ルーフドレインのゴミを外に吐き出し、前記筐体はステンレスで構成され、が日光を浴びることで蓄熱され積雪を防止する。
【手続補正３】
【補正対象書類名】明細書
【補正対象項目名】００２８
【補正方法】変更
【補正の内容】
【００２８】
この例では、ブラシ部材１１は、筐体２の内周面の１箇所に固着されている。その理由は、前述したような３枚の羽根部材３による風力のキャッチによれば、筐体２を高速で回転することができ、１箇所で十分だからである。但し、複数個所にブラシ部材１１を配設するようにしてもよいことは勿論である。
【手続補正４】
【補正対象書類名】明細書
【補正対象項目名】００３５
【補正方法】変更
【補正の内容】
【００３５】
こうして、ルーフドレイン掃除装置１をルーフドレイン１００に取り付けた様子は、図５に示される通りである。筐体２がルーフドレイン１００を上方から覆うことでゴミの蓄積を防止することができる。そして、３枚の羽根部材３が風力を受けると、筐体２が固定部材（ビス２０、ベアリング２１、管２２、座金２３、及びナット２４等）による回転軸を中心に回転し、当該回転によりブラシ部材１１がルーフドレイン１００のゴミを外に吐き出すことになる。更に、筐体２はステンレス鋼で構成されているので、日光を浴びることで蓄熱され、それにより積雪を効果的に防止することができる。
【手続補正５】
【補正対象書類名】明細書
【補正対象項目名】００４３
【補正方法】変更
【補正の内容】
【００４３】
そして、本発明の一実施形態によれば、ルーフドレイン１００に対して回転自在に取り付けられる装置であって、中空で上部平面を有する円柱形状で外周面に複数の開口部を有する筐体２と、筐体２の少なくとも外周面に等間隔で固着された３枚の羽根部材３と、筐体２の内周面に一端が固着されており他端が前記筐体の回転軸に向かって所定範囲にわたり突出したブラシ部材１１と、筐体２をルーフドレイン１００に回転自在に固定する固定部材（ビス２０、ベアリング２１、管２２、座金２３、及びナット２４等）とを備え、筐体２がルーフドレイン１００を上方から覆うことでゴミの蓄積を防止し、３枚の羽根部材３が風力を受けると筐体２が固定部材による回転軸を中心に回転し当該回転により前記ブラシ部材１１がルーフドレイン１００のゴミを外に吐き出し、筐体２はステンレスで構成され日光を浴びることで蓄熱され積雪を防止するルーフドレイン掃除装置が提供されることになる。従って、同構成によれば、ルーフドレインへの落葉等の堆積を効果的に防止することが可能となる。